(57)【要約】【課題】野外の各種イベント等の会場で放天する風船に関し、特には演出効果を高めるために、風船を空に放ち、浮力を失った後に自然環境を破壊することなく、容易に自然に帰る風船に風船を提供することにある。【解決手段】本発明の風船は、ポリ乳酸系材料を主原料とする生分解性薄片から作製した薄片を張り合わせると共に、内側となる面にポリビニルアルコールを主成分とする水溶性フィルム層を形成してなることを最も主要な特徴とする。【選択図】図１
2007301276.tif 000002
【特許請求の範囲】
【請求項１】
高気密度に形成されたポリ乳酸系材料を主原料とする生分解性薄片を２枚重ねて袋状に接着した風船であって、該薄片の片面にポリビニルアルコールを主成分とする水溶性フィルム層を形成し、この水溶性フィルム層を内側にし、該接着は澱粉糊、または水溶性接着剤、または水溶性接着テープ、または熱接着を用いて形成したことを特徴とする風船。
【請求項２】
ガス注入口に逆止弁を用いて形成した請求項１に記載の風船。
【請求項３】
前記風船本体内に軽量ガスを注入した請求項１、または２に記載の風船。
【発明の詳細な説明】
【技術分野】
【０００１】
本発明は、野外の各種イベント等の会場で放天する風船に関し、風船を空に放った後に浮力を失って落下した風船の残骸が自然環境を破壊することなく、容易に自然に帰る風船に関するものである。
【背景技術】
【０００２】
従来の風船は、天然ゴムまたはナイロン、ポリエチレン、エチレンビニルアルコール等のプラスチック類からなるものか、紙単体からなる紙風船が知られている。近年、自然環境を保護する観点から、風船を水溶性または分解性の樹脂の単一層で作り、使用後は自然界で溶解または分解させるものが考えられ、各種の提案がなされている。すなわち、水溶性多糖類を用いた風船（実開平４−１３３８９５号公報）、水溶性フィルムからなる種付き風船（同５−７２９５号公報）、ポリヒドロキシブチレートとポリヒドロキシバレレートの共重合体からなる風船（同５−３３７９５号公報）、光分解性、生分解性を有する樹脂からなる袋状物（同５−６３５９５号公報）、水溶性ポリビニルアルコール（以下ＰＶＡとする）フィルムに食品添加剤系着色剤を加えた着色風船（特開平５−３２９２７５号公報）等である。
【０００３】
これらの風船はピンホールが生ずるのを防ぐために、ある程度以上の厚みが要求されることから重くなり、浮遊しにくいか短時間で落下してしまって実用性に乏しいものであった。また仮にピンホールがなかったとしても、シート状物を袋状にするときのヒートシールや糊付け時にシール部にピンホールが生じ易く同様の結果をもたらした。これらの問題を解決するために、ピンホール性、ヒートシール性を考慮したナイロンまたはエチレンビニルアルコールにアルミニウム蒸着やポリエチレンを積層した風船も提案されたが、これらの材料は疎水性のため水に一切溶解せず、まして自然環境の保護に則さないものであった。
【０００４】
これに対し、天然の繊維材料の単独または２種以上の組み合わせを主材として用いた、紙、織布または不織布からなる透湿性基材の表面に、ポリビニルアルコールを主成分とする水溶性フィルム層を形成し、この水溶性フィルム層を内側にして袋状に熱接着してなる風船（特許第３０７２８８２号）が提案されている。
【０００５】
但し、上記提案による透湿性基材は、例えば、木綿、カポック、亜麻、大麻、黄麻、ラミー、マニラ麻、サイザル麻、藁、椰子、羊毛、モヘア、カシミヤ、ラクダ毛、アルパカ、絹、パルプ等が挙げられ、これらは単独または２種以上の組み合わせで、紙、織布または不織布として用いるとしている。これらの基材の場合、フィルム状への製造が困難で有り、安価に製造できる生分解性基材を使用した風船が望まれていた。
【特許文献１】実開平４−１３３８９５号
【特許文献１】実開平５−７２９５号
【特許文献１】実開平５−３３７９５号
【特許文献１】実開平５−６３５９５号
【特許文献１】特開平５−３２９２７５号
【特許文献１】特許第３０７２８８２号
【発明の開示】
【発明が解決しようとする課題】
【０００６】
本発明は上記課題に鑑みてなされたものであり、その目的とするところは、野外の各種イベント等の会場で放天する風船に関し、特には演出効果を高めるために、風船を空に放ち、浮力を失った後に自然環境を破壊することなく、容易に自然に帰る風船に風船を提供することにある。
【課題を解決するための手段】
【０００７】
上記目的を達成するため本発明の風船は、ポリ乳酸系材料を主原料とする生分解性薄片から作製した薄片を張り合わせると共に、内側となる面にポリビニルアルコールを主成分とする水溶性フィルム層を形成してなることを最も主要な特徴とする。
【０００８】
ポリ乳酸は、トウモロコシ等から取り出したデンプンを原料に酵素分解して糖質とし、これを炭素源とする乳酸菌発酵により乳酸が作られ、さらに科学合成法により乳酸を重合し得ている。
【発明の効果】
【０００９】
本発明の風船は、ポリ乳酸系材料を主原料とする生分解性の薄片およびポリビニルアルコールを主成分とする水溶性フィルム層から形成されており、野外の各種イベント等の会場で空に放った後に、浮力を失い落下した風船の残骸のポリ乳酸部分は、加水分解の後微生物によって生分解され、ポリビニルアルコールを主成分とする水溶性フィルム層は、直接微生物によって生分解され、よって自然環境を破壊することなく、容易に自然に帰る風船を提供できる。
【発明を実施するための最良の形態】
【００１０】
周知の通り、風船の基材の坪量としては５０ｇ／ｍ2を超えない薄片（フィルム）が好ましい。坪量が５０ｇ／ｍ2を超えると風船本体自体の自重が大となり、空中に飛行させるためには大量の不活性ガスを必要とし、風船の容積寸法が大きくなり過ぎることになる。ポリ乳酸の比重は、約１．２６であり、薄片の厚みを２０μｍとした場合２５．２ｇ／ｍ2、１５μｍとした場合１８．９ｇ／ｍ2となる。ポリ乳酸において１５μｍのフィルムを製造することは困難ではない。
【００１１】
ポリ乳酸から形成した１５μｍのフィルムの片面に、ポリビニルアルコールを主成分とする水溶性フィルム層を形成し、この水溶性フィルム層を内側にして２枚のフィルムを重ね合わせる。ポリビニルアルコールを主成分とする水溶性フィルム層は、ポリ乳酸フィルムに形成時のバラツキにて生じるピンポール対策である。
【００１２】
重ね合わせた２枚のフィルムに対し、ガス注入口を持たせた形状にて接着する。この時、接着部には、澱粉糊、または水溶性接着剤、または水溶性接着テープを用いることがある。また、熱接着にて接着しながら端部を切り離す場合もある。
【００１３】
さらに、ガス注入口には、逆止弁を配し、ガス注入者の作業性を助けることが望ましい。
【実施例１】
【００１４】
本発明の実施形態について詳しく説明する。本実施例で説明する形状は、これを限定する物ではない。図１は、本発明の風船の展開図である。１は基材を示し、２は接着部、３はガス注入口である。また、図２は、風船の断面説明図である。４は水溶性フィルム層である。
【００１５】
基材１は、ポリ乳酸を主原料とする生分解性薄片であって、１５μｍのフィルムとなっている。水溶性フィルム層４は、ポリビニルアルコールを主成分とする水溶性フィルム層であって、厚みは１５μｍとしている。接着部２は、熱接着し形成し、内部にヘリウムガスを注入する。
【産業上の利用可能性】
【００１６】
本発明の風船は、空に放ち浮力を失った後に落下した部材が自然環境を破壊することなく生分解されるため、安心して野外の各種イベント等の会場にて放天する風船として使用することができる。
【図面の簡単な説明】
【００１７】
【図１】本発明の風船の展開図である。
【図２】風船の断面説明図である。
【符号の説明】
【００１８】
１    基材
２    接着部
３    ガス注入口
４    水溶性フィルム層
【図１】
2007301276.tif 000003
【図２】
2007301276.tif 000004